【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
車両用空調装置（１００）における空調ケース（１０１）とは別体に形成されて、前記空調ケースの内部から外部に延設された一組の第１配管（１３０）および一組の第２配管（１４０）を外部部材（７０）に対して支持する支持装置であって、
一組の前記第１配管を支持する第１ブラケット側支持部（１３）が形成された第１ブラケット（１０、２１０、３１０、４１０）と、
一組の前記第２配管を支持する第２ブラケット側支持部（２４）が形成された第２ブラケット（２０、２２０、３２０、４２０）と、
前記第１ブラケットおよび前記第２ブラケットの両方と結合される共通ブラケット（３０、２３０、３３０、４３０）と、
を備え、
前記共通ブラケットは、
前記第１ブラケット側支持部の反対側から一組の前記第１配管を支持して前記第１ブラケット側支持部とともに一組の前記第１配管を挟む第１配管支持部（３３）と、前記第２ブラケット側支持部の反対側から一組の前記第２配管を支持して前記第２ブラケット側支持部とともに一組の前記第２配管を挟む第２配管支持部（３４）と、
を備え、
前記第２配管支持部は、一組の前記第１配管の配管並び方向に関して、前記第１配管支持部の両端部の間の範囲内に位置しており、
前記第２ブラケットおよび前記共通ブラケットは、結合した状態で互いに合わさる合わせ面（２２、３２）を有し、
前記合わせ面は、一組の前記第２配管の両側で一組の前記第２配管の並び方向に延びるように形成された第１面（２２ａ、３２ａ）と、
前記第１面の一組の前記第１配管側の端部に連続する面であって、前記第１面に直交する方向よりも一組の前記第１配管側に傾いた方向に延びるように形成された第２面（２２ｂ、３２ｂ）と、
を有する支持装置。
【請求項２】
車両用空調装置（１００）における空調ケース（１０１）とは別体に形成されて、前記空調ケースの内部から外部に延設された一組の第１配管（１３０）および一組の第２配管（１４０）を外部部材（７０）に対して支持する支持装置であって、
一組の前記第１配管を支持する第１ブラケット側支持部（１３）が形成された第１ブラケット（１０、２１０、３１０、４１０）と、
一組の前記第２配管を支持する第２ブラケット側支持部（２４）が形成された第２ブラケット（２０、２２０、３２０、４２０）と、
前記第１ブラケットおよび前記第２ブラケットの両方と結合される共通ブラケット（３０、２３０、３３０、４３０）と、
を備え、
前記共通ブラケットは、
前記第１ブラケット側支持部の反対側から一組の前記第１配管を支持して前記第１ブラケット側支持部とともに一組の前記第１配管を挟む第１配管支持部（３３）と、前記第２ブラケット側支持部の反対側から一組の前記第２配管を支持して前記第２ブラケット側支持部とともに一組の前記第２配管を挟む第２配管支持部（３４）と、
を備え、
前記第２配管支持部は、一組の前記第１配管の配管並び方向に関して、前記第１配管支持部の両端部の間の範囲内に位置しており、
前記外部部材に対して取り付けるための取付部（６）を複数有し、
複数の前記取付部は、一組の前記第１配管の並び方向に関して、一組の前記第１配管を支持している部分（３）の両端部の間の範囲に設けられている支持装置。
【請求項３】
前記第２ブラケットおよび前記共通ブラケットは、結合した状態で互いに合わさる合わせ面（２２、３２）を有し、
前記合わせ面は、一組の前記第２配管の両側で一組の前記第２配管の並び方向に延びるように形成された第１面（２２ａ、３２ａ）と、
前記第１面の一組の前記第１配管側の端部に連続する面であって、前記第１面に直交する方向よりも一組の前記第１配管側に傾いた方向に延びるように形成された第２面（２２ｂ、３２ｂ）と、
を有する請求項２に記載の支持装置。
【請求項４】
前記第２面は、前記第１面から連続する面である第１面連接部（２２ｂ１、３２ｂ１）と、前記第２ブラケットと前記共通ブラケットとが互いに結合した状態の外周縁（２ｂ）に連なる面である外周縁連接部（２２ｂ２、３２ｂ２）とを有し、
前記外周縁連接部は、前記第１面連接部よりも前記第１面に直交する方向に対する傾きが小さくなるように形成されている請求項１または請求項３に記載の支持装置。
【請求項５】
前記第１配管支持部は、一組の前記第１配管に対して前記第２配管支持部が設けられている側に位置している請求項１から請求項４のいずれか１項に記載の支持装置。
【請求項６】
前記第２ブラケットおよび前記共通ブラケットは、一組の前記第１配管の配管並び方向に直交する方向に並べられた一組の前記第２配管を挟持している請求項１から請求項５のいずれか１項に記載の支持装置。
【請求項７】
前記第２ブラケットおよび前記共通ブラケットは、一組の前記第１配管の配管並び方向に斜めに交差する方向に並べられた一組の前記第２配管を挟んで支持し、
前記第２配管支持部は、一組の前記第２配管に対して前記第１配管支持部が設けられている側に位置している請求項１から請求項５のいずれか１項に記載の支持装置。
【請求項８】
前記第２ブラケット側支持部は、一組の前記第２配管に当接する一組の凹部であって、
一組の前記凹部は、一組の前記第２配管の外周のうち半周以上の範囲に当接して一組の前記第２配管を保持するように形成されている請求項１から請求項７のいずれか１項に記載の支持装置。
【請求項９】
前記第２ブラケットおよび前記共通ブラケットは、互いに結合することで一組の前記第２配管の両方に接続される一体の継手部材（６０）を保持する継手保持部（５）を形成している請求項１から請求項８のいずれか１項に記載の支持装置。
【請求項１０】
請求項１から請求項９のいずれか１項に記載の支持装置を備える車両用空調装置。
【手続補正２】
【補正対象書類名】明細書
【補正対象項目名】０００７
【補正方法】変更
【補正の内容】
【０００７】
開示された支持装置のひとつは、車両用空調装置（１００）における空調ケース（１０１）とは別体に形成されて、空調ケースの内部から外部に延設された一組の第１配管（１３０）および一組の第２配管（１４０）を外部部材（７０）に対して支持する支持装置であって、一組の第１配管を支持する第１ブラケット側支持部（１３）が形成された第１ブラケット（１０、２１０、３１０、４１０）と、一組の第２配管を支持する第２ブラケット側支持部（２４）が形成された第２ブラケット（２０、２２０、３２０、４２０）と、第１ブラケットおよび第２ブラケットの両方と結合される共通ブラケット（３０、２３０、３３０、４３０）と、を備え、共通ブラケットは、第１ブラケット側支持部の反対側から一組の第１配管を支持して第１ブラケット側支持部とともに一組の第１配管を挟む第１配管支持部（３３）と、第２ブラケット側支持部の反対側から一組の第２配管を支持して第２ブラケット側支持部とともに一組の第２配管を挟む第２配管支持部（３４）と、を備え、第２配管支持部は、一組の第１配管の配管並び方向に関して、第１配管支持部の両端部の間の範囲内に位置しており、第２ブラケットおよび共通ブラケットは、結合した状態で互いに合わさる合わせ面（２２、３２）を有し、合わせ面は、一組の第２配管の両側で一組の第２配管の並び方向に延びるように形成された第１面（２２ａ、３２ａ）と、第１面の一組の第１配管側の端部に連続する面であって、第１面に直交する方向よりも一組の第１配管側に傾いた方向に延びるように形成された第２面（２２ｂ、３２ｂ）と、を有する。
開示された支持装置のひとつは、車両用空調装置（１００）における空調ケース（１０１）とは別体に形成されて、空調ケースの内部から外部に延設された一組の第１配管（１３０）および一組の第２配管（１４０）を外部部材（７０）に対して支持する支持装置であって、一組の第１配管を支持する第１ブラケット側支持部（１３）が形成された第１ブラケット（１０、２１０、３１０、４１０）と、一組の第２配管を支持する第２ブラケット側支持部（２４）が形成された第２ブラケット（２０、２２０、３２０、４２０）と、第１ブラケットおよび第２ブラケットの両方と結合される共通ブラケット（３０、２３０、３３０、４３０）と、を備え、共通ブラケットは、第１ブラケット側支持部の反対側から一組の第１配管を支持して第１ブラケット側支持部とともに一組の第１配管を挟む第１配管支持部（３３）と、第２ブラケット側支持部の反対側から一組の第２配管を支持して第２ブラケット側支持部とともに一組の第２配管を挟む第２配管支持部（３４）と、を備え、第２配管支持部は、一組の第１配管の配管並び方向に関して、第１配管支持部の両端部の間の範囲内に位置しており、外部部材に対して取り付けるための取付部（６）を複数有し、複数の取付部は、一組の第１配管の並び方向に関して、一組の第１配管を支持している部分（３）の両端部の間の範囲に設けられている。